(57)【要約】【課題】プレイヤーがゴルフナビゲーション携帯端末を操作しそのディスプレイの表示を見ることで、キャディが居なくても、円滑に速やかにゴルフプレイを楽しみ進めることができる、ゴルフナビゲーション携帯端末の利用システムを提供する。【解決手段】ゴルフ場のクラブハウスに備えられるコンピュータシステムに付属する拡張機器にゴルフナビゲーション携帯端末を接続する。コンピュータシステムからプレイヤーが使用するゴルフナビゲーション携帯端末へゴルフ場側が決定した順番にプレイする１８ホールのＧＰＳ地図情報等を書き込む。ゴルフナビゲーション携帯端末は、ボタン操作でディスプレイにプレイする順番に各ホールのＧＰＳ地図情報等を表示する。【選択図】図１
2006162852.tif 000002
【特許請求の範囲】
【請求項１】
ゴルフ場に備えたコンピュータシステムと、該コンピュータシステムに付設した充電及びデータ通信ができるクレイドル等の拡張機器と、前記拡張機器へ接続して各プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置から目標物までのホール情報を表示するゴルフナビゲーション携帯端末とで構成され、
前記コンピュータシステムは、記憶装置において、ゴルフ場の全てのホールについてのＧＰＳ地図データと該ＧＰＳ地図情報にリンクしたホール情報を記憶して、ゴルフナビゲーション携帯端末の利用を申込んだプレイヤーがゴルフコースへ出る前までに、当該プレイヤーが使用するゴルフナビゲーション携帯端末へＧＰＳ地図情報にリンクしたホール情報とともにゴルフ場側が予め決定したプレイヤーにプレイさせる第１ホールから最終の第１８ホールまで１８ホールの組合わせ情報を記憶させること、
ゴルフナビゲーション携帯端末は、プレイヤーがボタン操作を行うと、プレイするホールの順番にホール毎のＧＰＳ地図情報及びホール情報をディスプレイに表示することを特徴とする、ゴルフナビゲーション携帯端末の利用システム。
【請求項２】
各ゴルフ場のゴルフコースのＧＰＳ地図データと該ＧＰＳ地図情報にリンクしたホール情報を作成し管理するデータベース管理者のサーバと、プレイヤーが所有するパーソナルコンピュータと、前記パーソナルコンピュータに付設した充電及びデータ通信ができるクレイドル等の拡張機器と、前記拡張機器へ接続して前記プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置から目標物までのホール情報を表示するゴルフナビゲーション携帯端末とで構成され、
データベース管理者のサーバには、各ゴルフ場のＧＰＳ地図データとこれにリンクするホール情報を各ゴルフ場の全てのホールについて記憶してあり、さらに、各ゴルフ場側が決定した前記プレイヤーがプレイする１８ホールのＧＰＳ地図データとこれにリンクしたホール情報を記憶させており、
ゴルフプレイを希望するプレイヤーが、前記パーソナルコンピュータを前記データベース管理者のサーバと通信回線で接続し、ＩＤ番号とパスワード等を入力してゴルフ場を特定しプレイの申込みを行うと、受付状況を照合して受付が可能であるときはプレイの申込みを受付け、該サーバから当該パーソナルコンピュータへ拡張機器を介して接続されたゴルフナビゲーション携帯端末へ、申込み先のゴルフ場でプレイするゴルフコースのＧＰＳ地図情報と該ＧＰＳ地図情報にリンクしたホール情報とともにゴルフ場側が予め決定したプレイヤーにプレイさせる第１ホールから最終の第１８ホールまでの１８ホールの組み合わせ情報がダウンロードされ、かつプレイヤーに対する情報利用の課金設定を行うこと、
ゴルフナビゲーション携帯端末は、プレイヤーがボタン操作を行うと、プレイするホールの順番にホール毎のＧＰＳ地図情報及びホール情報をディスプレイに表示することを特徴とする、ゴルフナビゲーション携帯端末の利用システム。
【請求項３】
ＧＰＳ地図データとこれにリンクしたホール情報は、ゴルフ場の全てのホールについて、１ホール単位で作成され、ゴルフ場に備えたコンピュータシステムまたはデータベース管理者のサーバに記憶されていることを特徴とする、請求項１または２に記載のゴルフナビゲーション携帯端末の利用システム。
【請求項４】
貸出し希望のプレイヤーに対する課金設定を行い、前記プレイヤーが使用するゴルフナビゲーション携帯端末を指定することを特徴とする、請求項１に記載のゴルフナビゲーション携帯端末の利用システム。
【発明の詳細な説明】
【技術分野】
【０００１】
この発明は、プレイヤーがゴルフナビゲーション携帯端末を操作しそのディスプレイの表示を見ることで、キャディが居なくても、円滑に速やかにゴルフプレイを楽しみ進めることができる、ゴルフナビゲーション携帯端末の利用システムに関する。
【背景技術】
【０００２】
各ゴルフ場は、キャディの人員確保と育成が大きな負担となっている。一方、ゴルフプレーヤーは、キャディフィの負担を訴えている。そこで最近では、キャディが付かない乗用ゴルフカート、或いはキャディバッグを自動化搬送するシステムが普及し、キャディの廃止が進んでいる。そして、キャディに代わるゴルフプレイ情報の提供が強く要請された結果、ＧＰＳ機能付きのゴルフナビゲーション携帯端末が開発され使用されている。
【０００３】
かかるゴルフナビゲーション携帯端末は、ボタン操作を行うことでディスプレイにゴルフコースのホール毎の地図とこれにリンクしたホール情報を表示し、かつＧＰＳ機能によってゴルフコース上の現在位置を表示するようになっている。また、ゴルフコースを移動するに従い常に現在位置から目標物（グリーンなど）までのホール情報を可変表示し、コースレイアウトや設計者が意図する攻略ポイントの位置や距離情報等を把握できるようにもなっている。
【０００４】
上記ゴルフナビゲーション携帯端末を、ゴルフプレーヤーが操作することにより、キャディが居なくても楽しく速やかにプレイでき、各ゴルフ場はキャディの人員確保と育成の手間、費用を省ける。
【０００５】
ゴルフナビゲーション携帯端末を使用してゴルフをプレイする発明に関する先行技術としては、以下の特許文献が挙げられる。
【特許文献１】特開平５−１９０３５号公報
【特許文献２】特開平６−８４０３１号公報
【特許文献３】特開平７−１３４０４２号公報
【特許文献４】特開平９−２７６４５８号公報
【特許文献５】特開平１０−８５３７７号公報
【特許文献６】特開２００１−３１９１５４号公報
【発明の開示】
【発明が解決しようとする課題】
【０００６】
上記特許文献１に記載された衛星を利用したゴルフ距離測定方法は、ＧＰＳ衛星の電波を受信して現在位置からホールまでの距離を知ることはできるが、最初にホ−ル距離を入力したり、ティ−位置をスタ−ト地点とするゼロ位置確認が必要であり、距離以外の情報は得られない。
しかもゴルフ場が導入し易いゴルフナビゲーション携帯端末を使用するインターネット配信ビジネスを開示していない。
【０００７】
上記特許文献２に開示されたゴルフプレイ支援装置は、プレイヤーが携帯する小型携帯機と、ゴルフコースの所要個所に複数基設けられた定位置計測機とから、現在位置からホールまでの距離を知ることはできる。しかし、小型携帯機が計測用の電波・光・音波・超音波・レーザー・赤外線を発し、定位置計測機がこれを受信して小型携帯機との距離を計算し、且つ他の定位置計測機の距離の情報を交換し、複数の小型携帯機の距離情報から三角法の手法により小型携帯機の位置を位置決定部によって計算するものであり、システム構築が非常に難しい。
【０００８】
上記特許文献３に記載されたゴルフコースにおける案内装置は、携帯端末に、ゴルフコースにおける各ホールのレイアウトデータを緯度および経度の地理データともに記憶してあり、携帯端末のホール選択キーを操作してホールのコース図を表示装置に表示する。また、計測キーの操作により、ＧＰＳ受信機で受信した現在位置をコース図上に表示するとともに、その現在位置からバンカーやカップなどの主要な目標物までの距離を併せて表示する。これによって、カップやバンカーなどの主要な目標物までの距離を容易に計測可能とし、クラブ選択に要する時間を短縮することができ、各パーティがラウンドに要する時間を短縮することができ、あるいはキャディの帯同を不要とすることができると説明している。しかし、各ホールのレイアウトデータを緯度および経度の地理データ並びにホールのコース図を何処で作成し、加工しデータベース化するのか不明である。そして、データベースから情報を入手して携帯端末で情報が見られるシステム、及び各ゴルフ場の運営に適合するシステムにはなっていない。
【０００９】
上記特許文献４に記載されたＧＰＳ電波を利用したゴルフでのコースガイドと距離の測定、表示及び運行管理のための装置は、子機をカートに取り付けてプレイヤーに使用させると共に、クラブハウスのコース管理室に親機を設置し、子機のモニター画面にグリーン又は目標点までの距離とＧＰＳにて測定した自己位置を表示し、自己位置からホールまでの距離を表示する構成である。また、子機から自己位置を親機に送信してモニター画面でカートの運行管理が行えるようにしたものであり、構成が異なる。
【００１０】
上記特許文献５には、全体的なホール状況やグリーン状況を表示してゴルフボールの打撃方向を案内し、打撃されたゴルフボールの落下位置を表示することができるゴルフプレイのナビゲータと、当該ナビゲータを搭載したゴルフボールの検索機能付きゴルフカーが記載されているが、これも異なる構成である。
【００１１】
上記特許文献６に記載されたＧＰＳ用ゴルフ場地図データの収集及び配布ビジネスの方法は、各ゴルフ場のＧＰＳ用地図データを集中管理して、ユーザが必要とするゴルフ場の地図データを配布する。ネットワークに接続されたデータベースに、複数のゴルフ場のＧＰＳ用地図データを登録する。ユーザ端末装置は、ネットワークを介してデータベースにアクセスし、複数のゴルフ場の中から所望ゴルフ場のＧＰＳ用地図データをデータベースからダウンロードする。課金管理サーバは、配布したＧＰＳ用地図データの使用料をユーザへ課金すると共に、ユーザに課金した使用料をゴルフ場のＧＰＳ用地図データの権利者に配分するためのデータを作成する。
このシステムのユーザ端末装置は、パソコンに匹敵する能力・機能を備えていて、しかも、軽薄短小であり、ゴルフプレイヤーが携帯に便利でなければならず、非常に高コストになり、それをゴルフプレイヤーが設備しなければならない。そして、ゴルフプレイヤーがユーザ端末装置のデータベースのサーバに通信回線を介して接続して、プレイしようとするゴルフ場のＧＰＳ用地図データをその都度ダウンロードしなければならないので、高度な知識が必要になるとともに大変面倒であり、コストパーフォーマンスが極めて低い。加えて、サーバからダウンロードしたＧＰＳ用地図データ等の情報は各ゴルフ場の運営に適合する内容とは必ずしも一致しないので、使用において大変な不便が伴う。例えば、当該ゴルフ場の運営に適合するようにその日にプレイする１８ホールをゴルフ場側が決定し、さらに、アウトコースの９ホールから先にプレイするか、又はインコースの９ホールから先にプレイするかについてゴルフ場側が決定するのであるが、ゴルフプレイヤーが自分でユーザ端末装置にダウンロードしたＧＰＳ用地図データ等の情報は、前記のゴルフ場側が決定したプレイするホール順とは相違する場合が多く生じ、かかる場合にはユーザ端末装置の円滑な利用ができない。
【００１２】
従来、ＧＰＳ機能付きのゴルフナビゲーション携帯端末及び同携帯端末へゴルフコースの地図情報やホール情報をダウンロードする技術は種々存在する。しかし、それは個々のゴルフ場が将来の経済情勢を見据えた先行投資の判断で個別に行っているにすぎず、それ故に莫大な先行投資と、その後の維持管理のためのメンテナンスを必要とするので、おいそれと実施できるものではなかった。
また、従来のＧＰＳ機能付きのゴルフナビゲーション携帯端末に搭載しているＧＰＳ用地図データは、１８ホール分が一つのファイルとなって切れ目がない連続情報であったので、一つのホールの改造や変更があった場合に、その部分だけのＧＰＳ用地図データを変更することはできず、一つのファイル全部を一括して修正し変更するほかなく、手間と費用が多く必要であった。
【００１３】
本発明の目的は、ゴルフ場側が任意に決定した１８ホールのゴルフコースを、プレイヤーがゴルフナビゲーション携帯端末を操作しそのディスプレイの表示を見ることで、キャディが居なくても、円滑に速やかにゴルフプレイを楽しみ進めることができる、ゴルフナビゲーション携帯端末の利用システムを提供することにある。
本発明の次の目的は、ゴルフ場の意思と責任で、当該ゴルフ場の全てのホールについてのＧＰＳ地図データとホール情報を当該ゴルフ場のコンピュータシステムに記憶して利用可能とし、ゴルフナビゲーション携帯端末の利用を申込んだプレイヤーに対して、当該ゴルフ場が主体的に設定した、プレイヤーにプレイさせる第１ホールから第１８ホールまでの１８ホールの組み合わせ情報とＧＰＳ地図情報、及びこれにリンクしたホール情報をダウンロードしたゴルフナビゲーション携帯端末を貸与させることができ、プレイヤーがゴルフナビゲーション携帯端末を操作しそのディスプレイの表示を見ることで、キャディが居なくても、円滑に速やかにゴルフプレイを楽しみ進めることができるゴルフナビゲーション携帯端末の利用システムを提供することにある。
本発明の更なる目的は、ゴルフプレイを希望するプレイヤーが、ゴルフナビゲーション携帯端末をパーソナルコンピュータに付設したクレイドル等の拡張機器に接続し、かつパーソナルコンピュータをインターネット等の通信回線を介してデータベース管理者（管理会社）のサーバと接続することにより、ゴルフナビゲーション携帯端末に、プレイを申込んだゴルフ場でプレイできる１８ホールのＧＰＳ地図情報とこれにリンクしたホール情報を、プレイヤーにプレイさせる第１ホールから第１８ホールまでの１８ホールの組み合わせ情報と共にダウンロードでき、ゴルフ場においてプレイヤーがゴルフナビゲーション携帯端末を操作しそのディスプレイの表示を見ることで、キャディが居なくても、円滑に速やかにゴルフプレイを楽しみ進めることができるゴルフナビゲーション携帯端末の利用システムを提供することにある。
【課題を解決するための手段】
【００１４】
上述の課題を解決するための手段として、請求項１に記載の発明に係るゴルフナビゲーション携帯端末の利用システムは、
ゴルフ場に備えたコンピュータシステムと、該コンピュータシステムに付設した充電及びデータ通信ができるクレイドル等の拡張機器と、前記拡張機器へ接続して各プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置から目標物までのホール情報を表示するゴルフナビゲーション携帯端末とで構成され、
前記コンピュータシステムは、記憶装置において、ゴルフ場の全てのホールについてのＧＰＳ地図データと該ＧＰＳ地図情報にリンクしたホール情報を記憶して、ゴルフナビゲーション携帯端末の利用を申込んだプレイヤーがゴルフコースへ出る前までに、当該プレイヤーが使用するゴルフナビゲーション携帯端末へＧＰＳ地図情報にリンクしたホール情報とともにゴルフ場側が予め決定したプレイヤーにプレイさせる第１ホールから最終の第１８ホールまで１８ホールの組合わせ情報を記憶させること、
ゴルフナビゲーション携帯端末は、プレイヤーがボタン操作を行うと、プレイするホールの順番にホール毎のＧＰＳ地図情報及びホール情報をディスプレイに表示することを特徴とする。
【００１５】
請求項２に記載の発明に係るゴルフナビゲーション携帯端末の利用システムは、
各ゴルフ場のゴルフコースのＧＰＳ地図データと該ＧＰＳ地図情報にリンクしたホール情報を作成し管理するデータベース管理者のサーバと、プレイヤーが所有するパーソナルコンピュータと、前記パーソナルコンピュータに付設した充電及びデータ通信ができるクレイドル等の拡張機器と、前記拡張機器へ接続して前記プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置から目標物までのホール情報を表示するゴルフナビゲーション携帯端末とで構成され、
データベース管理者のサーバには、各ゴルフ場のＧＰＳ地図データとこれにリンクするホール情報を各ゴルフ場の全てのホールについて記憶してあり、さらに、各ゴルフ場側が決定した前記プレイヤーがプレイする１８ホールのＧＰＳ地図データとこれにリンクしたホール情報を記憶させており、
ゴルフプレイを希望するプレイヤーが、前記パーソナルコンピュータを前記データベース管理者のサーバと通信回線で接続し、ＩＤ番号とパスワード等を入力してゴルフ場を特定しプレイの申込みを行うと、受付状況を照合して受付が可能であるときはプレイの申込みを受付け、該サーバから当該パーソナルコンピュータへ拡張機器を介して接続されたゴルフナビゲーション携帯端末へ、申込み先のゴルフ場でプレイするゴルフコースのＧＰＳ地図情報と該ＧＰＳ地図情報にリンクしたホール情報とともにゴルフ場側が予め決定したプレイヤーにプレイさせる第１ホールから最終の第１８ホールまでの１８ホールの組み合わせ情報がダウンロードされ、かつプレイヤーに対する情報利用の課金設定を行うこと、
ゴルフナビゲーション携帯端末は、プレイヤーがボタン操作を行うと、プレイするホールの順番にホール毎のＧＰＳ地図情報及びホール情報をディスプレイに表示することを特徴とする。
【００１６】
請求項３に記載した発明は、請求項１又は２に記載のゴルフナビゲーション携帯端末の利用システムにおいて、
ＧＰＳ地図データとこれにリンクしたホール情報は、ゴルフ場の全てのホールについて、１ホール単位で作成され、ゴルフ場に備えたコンピュータシステムまたはデータベース管理者のサーバに記憶されていることを特徴とする。
【００１７】
請求項４に記載した発明は、請求項１に記載のゴルフナビゲーション携帯端末の利用システムにおいて、
貸出し希望のプレイヤーに対する課金設定を行い、前記プレイヤーが使用するゴルフナビゲーション携帯端末を指定することを特徴とする。
【発明の効果】
【００１８】
請求項１及び請求項２の発明に係るゴルフナビゲーション携帯端末の利用システムによれば、ゴルフ場側が任意に決定した１８ホールのゴルフコースを、プレイヤーがゴルフナビゲーション携帯端末を操作しそのディスプレイの表示を見ることで、キャディが居なくても、円滑に速やかにゴルフプレイを楽しみ進めることができる。
【００１９】
請求項１の発明に係るゴルフナビゲーション携帯端末の利用システムによれば、ゴルフ場の全てのホールについてのＧＰＳ地図データとホール情報とグリーン情報等を当該ゴルフ場のコンピュータシステムに記憶して利用可能に設定して、ゴルフナビゲーション携帯端末の利用を申込んだプレイヤーに対して、当該ゴルフ場のＧＰＳ地図情報とこれにリンクしたホール情報とグリーン情報等とともにゴルフ場側が予め決定した、プレーヤーにプレイさせる第１ホールから最終の第１８ホールまでの１８ホールの組合せ情報をダウンロードしたゴルフナビゲーション携帯端末を貸与させることができ、プレイヤーがゴルフナビゲーション携帯端末を操作しそのディスプレイの表示を見ることで、キャディが居なくても、円滑に速やかにゴルフプレイを楽しみ進めることができる。一方、ゴルフ場にとっては、キャディを雇うことによる費用負担及び先行投資の経済的負担を可及的に低減できる。
【００２０】
請求項２の発明に係るゴルフナビゲーション携帯端末の利用システムによれば、ゴルフプレイを希望するプレイヤーがゴルフナビゲーション携帯端末をパーソナルコンピュータに付設したクレイドル等の拡張機器に接続し、かつパーソナルコンピュータをインターネット等の通信回線を介してデータベース管理者（管理会社）のサーバと接続することにより、ゴルフナビゲーション携帯端末に、申込み先のゴルフ場のＧＰＳ地図情報とこれにリンクしたホール情報とグリーン情報とともにゴルフ場側が予め決定した、プレーヤーにプレイさせる第１ホールから最終の第１８ホールまでの１８ホールの組合せ情報がダウンロードできる。よって、ゴルフ場においてプレイヤーがゴルフナビゲーション携帯端末を操作しそのディスプレイの表示を見ることで、キャディが居なくても、円滑に速やかにゴルフプレイを楽しみ進めることができる。各ゴルフ場は、ゴルフナビゲーション携帯端末への情報のダウンロードについてデータベース管理者に任せて、データベース管理者から通信回線を通して受付手続の結果報告を受け取って管理することができて事務の負担を低減できる。その上、キャディを雇うことによる費用負担及び先行投資の経済的負担を可及的に低減できる。プレイヤーがデータベース管理者のサーバーと接続することにより、プレイを希望するゴルフ場への申込み手続まで同時に行えるシステムにすると、プレイヤー及びゴルフ場にとって受付手続の簡単化、省略を図れて好都合である。
【００２１】
請求項３の発明に係るゴルフナビゲーション携帯端末の利用システムによれば、ゴルフ場のＧＰＳ地図情報とこれにリンクしたホール情報を、１ホール単位でファイル化したので、ＧＰＳ地図情報とこれにリンクしたホール情報の加工、修正、変形がホール毎の単位で簡単、迅速にでき、プレイヤーをアウトコースからスタートさせるかインコースからスタートさせるかのコースの振り分けに加え、ベント・コウライなどの２グリーンを有するホールについて、使用させる一のグリーンの指定や、フェアウエィやグリーン等の改造のために使用を中止とするホールをコースから外す等々の情報の差し替えが容易に行える。
【発明を実施するための最良の形態】
【００２２】
ゴルフ場に備えたコンピュータシステム１と、該コンピュータシステム１に付設した充電及びデータ通信ができるクレイドル等の拡張機器２ａ、２ｂと、前記拡張機器２ａ、２ｂへ接続して各プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置から目標物（グリーン）までのホール情報を表示するゴルフナビゲーション携帯端末３ａ〜３ｊとで構成する。
前記コンピュータシステム１は、記憶装置１ｄにおいて、全てのホールについてのＧＰＳ地図データとホール情報を記憶して、ゴルフナビゲーション携帯端末３ａ〜３ｊの利用を申込んだプレイヤーがゴルフコースへ出る前までに、当該プレイヤーが使用するゴルフナビゲーション携帯端末３ａ〜３ｊのいずれか一へＧＰＳ地図データとこれにリンクしたホール情報とともにゴルフ場側が予め決定した、プレーヤーにプレイさせる第１ホールから最終の第１８ホールまでの１８ホールの組合せ情報を記憶させる。
【００２３】
各ゴルフ場のゴルフコースのＧＰＳ地図データと該ＧＰＳ地図情報にリンクしたホール情報を作成し管理するデータベース管理者のサーバ４と、プレイヤーが所有するパーソナルコンピュータ６と、前記パーソナルコンピュータ６に付設した充電及びデータ通信ができるクレイドル等の拡張機器７と、前記拡張機器７へ接続して前記プレイヤーの使用のために用意されボタン操作でディスプレイに各ホールのＧＰＳ地図情報と該ＧＰＳ地図情報にリンクしたホール情報やグリーン情報を表示するとともにＧＰＳ機能によりプレイヤーの現在位置を表示し、かつ移動に従い現在位置からグリーンまでのホール情報を表示するゴルフナビゲーション携帯端末８とで構成する。
データベース管理者のサーバには、ゴルフ場の全てのホールの１ホール毎に作成されたＧＰＳ地図データとこれにリンクするホール情報を記憶してあり、さらに、前記プレイヤーがプレイを希望するゴルフコースの全ホールについてダウンロード可能とする。
前記プレイヤーが、前記パーソナルコンピュータを前記データベース管理者のサーバと通信回線で接続し、ＩＤ番号とパスワード等を入力してゴルフ場を特定しプレイの申込みを行うと、受付状況を照合して受付が可能であるときはプレイの申込みを受付けて、該サーバから該パーソナルコンピュータに拡張機器を介して接続したゴルフナビゲーション携帯端末へ申込み先のゴルフ場のＧＰＳ地図情報と該ＧＰＳ地図情報にリンクしたホール情報とともにゴルフ場側が予め決定した、プレーヤーにプレイさせる第１ホールから最終の第１８ホールまでの１８ホールの組合せ情報をダウンロードし、かつプレイヤーに対する情報利用の課金設定を行う構成である。
【００２４】
コースに出たプレイヤーがゴルフナビゲーション携帯端末のボタン操作を行うと、ゴルフナビゲーション携帯端末のディスプレイに、プレイするホールの順番にホール毎のＧＰＳ地図情報及びホール情報が表示される。
【実施例１】
【００２５】
以下に、請求項１に係る発明の実施例を図１を参照して説明する。この実施例は、ゴルフ場が用意したゴルフナビゲーション携帯端末を、希望するプレイヤーに貸し出して使用させるシステムである。
図１は、ゴルフ場のクラブハウス等に備えられたコンピュータシステム１と、前記コンピュータシステム１に付設されている充電及びデータ通信ができるクレイドル等の複数の拡張機器２ａ、２ｂと、前記拡張機器２ａ、２ｂへ接続して各プレイヤーの使用のために用意されボタン操作でディスプレイに各ホールのＧＰＳ地図情報と該ＧＰＳ地図情報にリンクしたホール情報を表示するとともにＧＰＳ機能によりプレイヤーの現在位置を表示し、かつ移動に従い現在位置からグリーン（その他の目標物）までの距離を初めとするホール情報を表示する多数のゴルフナビゲーション携帯端末３ａ〜３ｊとで構成された利用システムのブロック図を示す。
【００２６】
前記コンピュータシステム１は、例えばディスプレイ装置１Ａとコンピュータ本体１Ｂとからなり、コンピュータ本体１Ｂは、情報収集装置１ａと地図データ加工処理装置１ｂ及び転送装置１ｃ記憶装置１ｄ、並びに課金装置１ｅを有している。
前記、記憶装置１ｄにおいて、当該ゴルフ場の全てのホールについて、１ホール単位で作成されたＧＰＳ地図データと該ＧＰＳ地図データにリンクするように作成されたホール情報（グリーン情報を含む）を記憶して、ゴルフナビゲーション携帯端末の利用を申込んだプレイヤーがゴルフコースへ出る前までに、当該プレイヤーが使用するゴルフナビゲーション携帯端末を指定し、該ゴルフナビゲーション携帯端末へ、ゴルフ場側が予め決定し、プレイヤーにプレイさせる第１ホールから最終の第１８ホールまでの１８ホールの組合せ情報とＧＰＳ地図データ、及びこれにリンクしたホール情報やグリーン情報を記憶させる。
【００２７】
記憶装置１ｄに記憶する情報は、当該ゴルフ場のインコース情報とアウトコース情報、及び各コースの全てのホールについてのＧＰＳ地図データと、該ＧＰＳ地図情報にリンクしたホール情報（グリーン情報を含む）である。
ＧＰＳ地図データはベクター形式で作成され、数個の画像から構成されており、フェアウエー、グリーン、バンカー、目標点などのレイヤーから成る。
ゴルフコースの地図表示は、非常に質の高いデータが作成されて使用できる場合には、各ホールの地形、カップまでの距離データ、グリーンの種類（コーライ芝又はベント芝）と、形状、高低、芝目情報、グリーンまでのフェアウエーの地形の高低や傾斜度、バンカーの位置と形状、深さなど、池及び林の位置、林の植林密度など、およそゴルフ・プレイに必要な情報は表示される。ディスプレイには、例えば、コースレイアウトの平面図とフェアウエーで切断した断面図とのコース図上に、ＧＰＳで計測された現在位置が合成されて表示される。さらにその現在位置から、グリーンや、ピンの位置、バンカーなどの主な目標物の位置やそこまでの距離が追加表示される。
【００２８】
一のホールが、ベント・コウライなどの２グリーンを有し、そのどちらかを選択し使用するホールであるときは、選択したグリーンによって、地図全体のレイアウトが変わるとともにフェアウエーの攻め方が異なってくるので、二つのグリーンに合わせた目標点のレイヤーが２層用意される。これに伴い、ＧＰＳ地図情報にリンクしたホール情報も２つ用意される。
ゴルフ場情報は、山岳コースであるとか、全般に平坦なコースであるとかの各コースの特徴や名物ホールなどを説明する情報である。
インコース情報とアウトコース情報は、互いに比較して異なっている特徴などを説明する情報である。
ホール情報は、ホールの特徴や攻略法を説明するとともに、パーが幾つであるかを示す数値と、各ホールの難易度を示すハンディギャップなどを示す情報である。
ホール情報に含まれるグリーン情報は、グリーンの芝がベント芝とコウライ芝のいずれであるのか、２段グリーンであるのか、どちらの方向に傾斜しているのか、芝が速いか遅いかなどを説明する情報である。
ホール情報は、各ゴルフ場が必要に応じて随時に編集・加工できる形式で作成され利用できる。
なお、記憶装置１ｄに記憶する当該ゴルフ場の全てのホールについてのＧＰＳ地図データとホール情報は、例えばデータベース管理者に対して当該ゴルフ場の全てのホールについての地図データとホール情報を与え、これらに基づいて、１ホール単位毎にコンピュータで利用できるゴルフコースのＧＰＳ地図データと該ＧＰＳ地図情報にリンクしたホール情報として加工・編集する。そして、プロバイダーが前記のＧＰＳ地図データ等のゴルフ場データをＤＶＤあるいはＣＤ等に記憶した記憶媒体の形で各ゴルフ場が入手し、当該ゴルフ場のクラブハウス等に備えられたコンピュータシステム１をデータベース管理者のサーバと通信回線を介して接続し、当該ゴルフ場の全てのホールについてのＧＰＳ地図データと該ＧＰＳ地図情報にリンクしたホール情報をダウンロードし、記憶装置１ｄに記憶する。
【００２９】
コンピュータシステム１は、所謂パソコンなどであり、フロントのオペレータ等により操作される。オペレータ等は、一緒にプレイする組の申し込み代表のプレイヤーからロッカーキーの番号を受け付けて、コンピュータシステム１において当該プレイヤーを特定できるデータを入力し、蓄積データの中から当該プレイヤーに関するデータ画面が表示されるので、当該受付に関するデータを入力するとともに、ＩＤ番号とパスワードとキー番号を入力してキー番号と課金やゴルフナビゲーション携帯端末とをバンドルさせる。
【００３０】
情報収集装置１ａは、ＩＤ番号とパスワードと登録ユーザ（プレイヤー）のユーザ名（ハンドル名）、実際の氏名、住所、連絡先、生年月日、性別などの属性やゴルフ履歴その他の管理を行う。課金装置１ｅは、プレイヤーにゴルフナビゲーション携帯端末の利用の有無を聞き、利用申込みがあるプレイヤーにゴルフナビゲーション携帯端末３ａ〜３ｊのいずれかを指定して情報を書込んだとき、当該プレイヤーに対する賃料の課金を行う。
【００３１】
クレイドル等の拡張機器２ａ、２ｂ及びこれに接続されるゴルフナビゲーション携帯端末３ａ〜３ｊは、当該ゴルフ場でプレイする最大人数分よりも多く設備される。ゴルフナビゲーション携帯端末３ａ〜３ｊは、クレイドル等の拡張機器３の接続端子へ載置するだけで接続できる。
コンピュータシステム１は、クレイドル等の拡張機器２ａ、２ｂに載置してあるゴルフナビゲーション携帯端末３ａ〜３ｊのいずれか一を指定して、当該ゴルフ場が予め決定したプレイヤーにプレイさせる第１ホールから最終の第１８ホールまでの１８ホールの組合せ情報とＧＰＳ地図情報及び該ＧＰＳ地図情報にリンクしたホール情報（グリーン情報を含む）を前記指定したゴルフナビゲーション携帯端末に記憶させる。
【００３２】
プレイヤーは、指定された番号の接続端子に接続されているゴルフナビゲーション携帯端末を所持してプレイを行う。プレイ後は、空いている任意の接続端子へ載置して接続すると、ゴルフナビゲーション携帯端末３ａ〜３ｊの識別番号がコンピュータシステム１にアップロードされ、ゴルフナビゲーション携帯端末３ａ〜３ｊが返還されたことをコンピュータシステム１にて確認できる。
【００３３】
コンピュータシステム１において、一のホールが、ベント芝・コウライ芝などの２グリーンを有し、どちらかを選択して使用するホールであるときは、いずれかの選択に応じて、当該ホールに関するＧＰＳ地図データ及び該ＧＰＳ地図データにリンクするホール情報等を選択されたグリーンに対応する情報が選択されるようになっている。
【００３４】
コンピュータシステム１において、プレイする順にホール番号のボタンアイコンをクリックして１８ホールを選択すると、下側に選択した１８ホールが順番に表示される。１８ホールの選択は、二通りに行うことができる。１８ホールの選択は、その都度に行うものではなく、１日に二通りのコースを選択できるように決定して固定される。
こうして決定される二通りの１８ホールのコースは、同じ時間帯に複数組のプレイが重ならないようにプレイする組単位で時間配分する必要がある。
二通りの１８ホールのコース指定がいかようにも設定できるのは、コンピュータシステム１の記憶装置１ｄに記憶されている、ゴルフ場の全てのホールについての情報が、１ホール単位でＧＰＳ地図データとホール情報（グリーン情報を含む）とがリンクするように作成された情報であり、ゴルフ場側が予め決定した、プレーヤーにプレイさせる第１ホールから最終の第１８ホールまでの１８ホールの組合せ情報により、いかようにも組換えが可能であることに基づいている。
競技の都合とか天候不良、コースコンディションなどにより、ゴルフプレイの順序を２番ホールから始めて１８番ホールまで回し、最終ホールを１番ホールとする設定もできる。
或いは２７ホールないし５４ホールを有するゴルフ場の場合には、更に多様にホールを組み合わせてコースを設定するなど、コース変更や設定もボタンアイコンを順番に選択することにより行うことができる。
【００３５】
ゴルフナビゲーション携帯端末の貸出し手続にしたがい、課金を行う。ソフトウエアは、登録ユーザに課金した使用料を配分するためのデータを作成する。
【００３６】
ゴルフナビゲーション携帯端末３ａ〜３ｊは、ＧＰＳ機能と、ＧＰＳ用ゴルフ場地図情報及び現在位置を表示する表示器（モニター表示部）とを備えていて、プレイヤーがボタン操作を行うことにより、各ゴルフ場のコンピュータシステムにより指定されダウンロードされたホール順にゴルフコースの地図が表示され、かつプレイヤーの現在位置がディスプレイに表示される。また、当該ホールをどのように攻めるかなどのホール情報も表示される。
【００３７】
従って、ゴルフナビゲーション携帯端末３ａ〜３ｊのいずれかを携帯すれば、プレイの順番に従ったホール毎のＧＰＳ地図情報及びこれにリンクしたホール情報（グリーン情報を含む）がディスプレイに表示され、キャディが居なくても、また、当該ゴルフコースで初めてプレイする人でも、まごつくことなく、円滑に速やかにゴルフプレイを楽しみ進めることができる。
【実施例２】
【００３８】
次に、請求項２に係る本発明の実施例を図２を参照して説明する。
このゴルフナビゲーション携帯端末の利用システムは、プレイヤーがプロバイダーにゴルフプレイの申込みを行い、申込みが受付けられた場合に、プレイヤーが所有するゴルフナビゲーション携帯端末８に、プレイできるゴルフコースをダウンロードできるシステムである。ゴルフプレイの申込みの受付け窓口を委嘱されているデータベース管理者（プロバイダー）のコンピュータシステム４と、プレイヤーが自宅等に所有するパーソナルコンピュータ６と、前記各パーソナルコンピュータ６に付設されているクレイドル等の拡張機器７と、前記拡張機器７に載置される複数のゴルフナビゲーション携帯端末８とで構成される。
コンピュータシステム４とパーソナルコンピュータ６は、インターネット等の通信回線５を介して接続する。クレイドル等の拡張機器７は、ゴルフナビゲーション携帯端末８に対して充電と情報書き込みを行える。
【００３９】
プロバイダーのコンピュータシステム４は、例えばディスプレイ装置４Ａとコンピュータ本体４Ｂとからなる。コンピュータ本体４Ｂは、例えばドメイン・サーバ４ａとＷＷＷサーバ４ｂとメール・サーバ４ｃと、及びデータベース・サーバ４ｄと情報管理サーバ４ｅ、並びに課金管理サーバ４ｆを備えていて、インターネットなどの通信回線５に接続している。
プロバイダーは、各ゴルフ場から入手したゴルフ場地図情報を加工・編集してＧＰＳ用ゴルフ場地図情報を作成するとともに、これにリンクしたホール情報及びグリーン情報を作成する。このデータベースは、一のゴルフ場の全てのホールについて、ホール単位に分けられるようにＧＰＳ地図情報が作成され、且つこれにリンクしたホール情報（グリーン情報を含む）が作成されていることを特徴とする。
【００４０】
ゴルフコースのＧＰＳ地図の表示は、プロバイダーで作成したデータに依存することは、上述した実施例と同様である。一のホールが、ベント芝・コウライ芝などの２グリーンを有し、どちらかを選択して使用するホールであるときは、ＧＰＳ地図データが２セット用意される。これに伴い、ＧＰＳ地図情報にリンクしたホール情報（グリーン情報を含む）も２つ用意されることも上記実施例と同じである。
上記のように用意された前記ＧＰＳ地図データ及びそれにリンクしたホール情報は、データベース・サーバ４ｄにより、光磁気ディスクなどの記憶装置へ登録されて管理と検索の対象となり、パーソナルコンピュータ６からの要求に基づいて当該パーソナルコンピュータ６への配布を行う。
情報管理サーバ４ｅは、ゴルフ場地図情報を提供されたゴルフ場や、地図権利者の情報管理、その他の管理を行う。課金管理サーバ４ｆは、パーソナルコンピュータ６からＧＰＳ用ゴルフ場地図情報等のダウンロードがあったときにＩＤ番号とパスワード等に基づいて課金を行う構成である。
【００４１】
パーソナルコンピュータ６は、例えばディスプレイ装置６Ａとコンピュータ本体６Ｂとからなる。コンピュータ本体６Ｂは、例えばメール・サーバ６ａとインターネットプログラム６ｂと記憶装置６ｃを備えている。
ゴルフ競技は通例４人１組でプレイするので、一人が代表して４人分の申込みを行う。代表者となるプレイヤーは、パーソナルコンピュータ６に付設したクレイドル等の拡張機器７にゴルフナビゲーション携帯端末８を載置した状態で、インターネットプログラム６ｂを起動してパーソナルコンピュータ６をプロバイダーのコンピュータシステム４に接続する。但し、プレイヤーが一人ずつ個別に申し込むことができる。
【００４２】
プロバイダーのコンピュータシステム４からプレイしたいゴルフ場の申込み画面を開く。初回の申込み画面において、プレイヤーの登録ユーザ（プレイヤー）のユーザ名（ハンドル名）、ＩＤ番号、パスワード、実際の氏名、住所、連絡先、生年月日、性別などの属性やゴルフ履歴、ゴルフナビゲーション携帯端末８の識別番号、その他の管理項目の入力を行う。２回目以降の申込み画面は、初回とは異なっていて、プレイヤーの登録ユーザ（プレイヤー）のユーザ名（ハンドル名）、パスワードの入力を行う。
プロバイダーのコンピュータシステム４は、ゴルフ場からプレイの受付け事務の委嘱を受けていて、列車の座席シートの予約システムと同様に、ダブルことなく受付できる受付管理ソフトと連動させて、申込みに対して受付けできるか否か、を決定して、その回答をプレイヤーのパーソナルコンピュータ６へ通知する。
【００４３】
プレイヤーがパーソナルコンピュータ６で申込み決定入力を行うと、プロバイダーのコンピュータシステム４が受付を決定して、プレイしたいゴルフ場のゴルフコースのＧＰＳ地図情報と該ＧＰＳ地図情報にリンクしたホール情報とともにゴルフ場側が予め決定した、当該プレーヤーにプレイさせる第１ホールから最終の第１８ホールまでの１８ホールの組合せ情報を、通信回線５を介してパーソナルコンピュータ６と接続しているゴルフナビゲーション携帯端末８に記憶させる。ゴルフナビゲーション携帯端末８が接続していないときは、接続を要求するメッセージをパーソナルコンピュータ６のディスプレイ６Ａに表示する。
【００４４】
次に、プロバイダーのコンピュータシステム４の課金管理サーバ４ｆが作動して当該パーソナルコンピュータ６より入力したＩＤ番号、パスワードに基づいて情報使用料の課金を行う。
【００４５】
パーソナルコンピュータ６で申込みを行うとき、メンバーのＩＤ番号とゴルフナビゲーション携帯端末８の識別番号とを記入するものとする。すると、同一コースでプレイする同組のプレーヤーそれぞれが所有する携帯端末８の識別番号が相違するから、同じパーソナルコンピュータ６を通信端末として、拡張機器７に同組のプレーヤーそれぞれが所有するゴルフナビゲーション携帯端末８を差し替えると、これらの携帯端末８に同じゴルフコースのＧＰＳ地図情報と該ＧＰＳ地図情報にリンクしたホール情報（グリーン情報を含む）及びゴルフ場が予め決定した１８ホールの組合せ情報を次々に記憶することができる。
【００４６】
携帯端末８の識別番号の入力を行っているので、情報使用料の課金は、当該パーソナルコンピュータ６の所有者ではなく、携帯端末８の各所有者に対して行うことができる。従って、一緒にプレイするプレイヤーの中の誰か一人がパーソナルコンピュータ６を所持しておれば、一緒にプレイするプレイヤー全員の携帯端末８に対して、プレイするゴルフコースのＧＰＳ地図情報と該ＧＰＳ地図情報にリンクしたホール情報及びゴルフ場が予め決定した１８ホールの組合せ情報を間違いなく記憶させることができる。
なお、各個人ばらばらにダウンロードすると、申込みとは切り離した情報のダウンロードになるが、現地のスタート位置ではスタート時間の一致を持って共有化するので、プレイに支障はない。
【００４７】
ゴルフナビゲーション携帯端末８は、プレイヤーがボタン操作を行うことにより、各ゴルフ場のコンピュータシステムにより指定されダウンロードされたホール順にゴルフコースの地図が表示され、かつプレイヤーの現在位置がディスプレイに表示されるようになっている。また、当該ホールをどのように攻めるかなどの情報も表示される。
【００４８】
従って、ゴルフナビゲーション携帯端末８を携帯すれば、プレイの順番に従ったホール毎のＧＰＳ地図情報及びこれにリンクしたホール情報（グリーン情報を含む）がディスプレイに表示され、キャディが居なくても、また、当該ゴルフコースで初めてプレイする人でも、まごつくことなく、円滑に速やかにゴルフプレイを楽しみ進めることができる。
【００４９】
以上に、本発明を図示した実施例について説明したが、本発明は、こうした実施例に何ら限定されるものではない。本発明の要旨を逸脱しない範囲において、種々な態様で実施できることは勿論である。
【図面の簡単な説明】
【００５０】
【図１】本発明の実施例１に係るゴルフナビゲーション携帯端末の利用システムのブロック図である。
【図２】本発明の実施例２に係るゴルフナビゲーション携帯端末の利用システムのブロック図である。
【符号の説明】
【００５１】
１            ゴルフ場のクラブハウス等に備えられるコンピュータシステム
２ａ、２ｂ    クレイドル等の拡張機器
３ａ〜３ｊ    ゴルフナビゲーション携帯端末
４            データベース管理者のコンピュータシステム
５            通信回線
６            プレイヤーのパーソナルコンピュータ
７            クレイドル等の拡張機器
８            ゴルフナビゲーション携帯端末
【図１】
2006162852.tif 000003
【図２】
2006162852.tif 000004